(57)【特許請求の範囲】
【請求項１】
肉厚部分を備える媒体を支持可能な支持面を有する支持部と、
前記支持面に対して窪んだ凹部又は前記支持面に対して突出した凸部を形成する第１状態と、前記支持面に対して前記凹部又は前記凸部を形成しない第２状態と、を形成可能な調整部と、を備え、
前記支持面と前記調整部とは、色及び質感のうち少なくとも一方が異なり、
前記調整部によって前記凹部又は前記凸部を形成することに伴って形成される陥没部は、前記肉厚部分に対応することを特徴とする媒体支持ユニット。
【請求項２】
請求項１に記載の媒体支持ユニットにおいて、
前記支持部に前記調整部を取り付け及び取り外しすることにより前記第１状態と前記第２状態とに変位することを特徴とする媒体支持ユニット。
【請求項３】
請求項１に記載の媒体支持ユニットにおいて、
前記支持部に対する前記調整部の位置を変更することにより前記第１状態と前記第２状態とに変位することを特徴とする媒体支持ユニット。
【請求項４】
請求項１から３のいずれか１項に記載の媒体支持ユニットにおいて、
前記調整部は、前記凹部を形成する前記第１状態と、前記凹部を形成しない前記第２状態と、を形成可能であることを特徴とする媒体支持ユニット。
【請求項５】
請求項４に記載の媒体支持ユニットにおいて、
前記調整部によって前記凹部を形成することに伴って形成される前記陥没部は、第１の陥没部であり、
前記支持部には、前記第１状態及び前記第２状態のいずれにおいても、前記肉厚部分に対応するように陥没している第２の陥没部が設けられていることを特徴とする媒体支持ユニット。
【請求項６】
請求項５に記載の媒体支持ユニットにおいて、
前記第１の陥没部と前記第２の陥没部とは、連続して形成されることを特徴とする媒体支持ユニット。
【請求項７】
請求項５又は６に記載の媒体支持ユニットにおいて、
前記支持面は、第１の支持面と、第１の支持面と離間して設けられた第２の支持面と、を有し、
前記第１の陥没部及び前記第２の陥没部は、前記第１の支持面と前記第２の支持面との間に形成されていることを特徴とする媒体支持ユニット。
【請求項８】
請求項１から３のいずれか１項に記載の媒体支持ユニットにおいて、
前記調整部は、前記凸部を形成する前記第１状態と、前記凸部を形成しない前記第２状態と、を形成可能であることを特徴とする媒体支持ユニット。
【請求項９】
（補正前請求項９）
請求項１から８のいずれか１項に記載の媒体支持ユニットと、
前記媒体支持ユニットに支持された前記媒体に記録可能な記録部と、
を備えることを特徴とする記録装置。
【請求項１０】
肉厚部分を備える媒体を支持可能な支持面を有する支持部を備える媒体支持ユニットにおける媒体支持方法であって、
色及び質感のうち少なくとも一方が前記支持面と異なる調整部によって、前記支持面に対して窪んだ凹部又は前記支持面に対して突出した凸部を形成する第１状態と、前記支持面に対して前記凹部又は前記凸部を形成しない第２状態とを、前記調整部によって前記凹部又は前記凸部を形成することに伴って形成される陥没部が前記肉厚部分に対応するように、前記媒体の種類に応じて切り替えて、前記媒体を支持させることを特徴とする媒体支持方法。
【発明の詳細な説明】
【技術分野】
【０００１】
本発明は、媒体支持ユニット、記録装置及び媒体支持方法に関する。
【背景技術】
【０００２】
従来から、媒体を支持する媒体支持ユニットが使用されている。  
例えば、特許文献１には、Ｔシャツ等をセット可能なプレートを有する媒体支持ユニットを備えた記録装置が開示されている。
【先行技術文献】
【特許文献】
【０００３】
【特許文献１】特開２０１３−６３６３７号公報
【発明の概要】
【発明が解決しようとする課題】
【０００４】
ここで、Ｔシャツ等の衣服には、ポケットやボタンが構成された部分や、生地の折り返し部分などの、肉厚部分がある。このため、媒体としての衣服を支持可能な媒体支持ユニットを備えた記録装置等においては、このような肉厚部分を支持面にそのまま載せると該肉厚部分が盛り上がり、例えば記録装置の記録部などに接触する虞があった。  
そこで、特許文献１の記録装置はこのような肉厚部分に対応した凹部をプレートに構成し、該肉厚部分が記録部などに接触する虞を低減可能な構成としている。  
一方、近年、様々な形状の衣服などの媒体に記録などを行うことが要求されていることから、様々な大きさや形状の肉厚部分に対応することが要求されている。このため、肉厚部分に対応して様々な大きさや形状の陥没部の形成部が考えられ、媒体支持ユニットにおいて陥没部の形成部が分かり難く、陥没部を容易に形成し難い場合があった。
【０００５】
そこで、本発明の目的は、媒体の一部を支持面に対して陥没させる陥没部を形成可能な媒体支持ユニットにおいて、陥没部を容易に形成することを目的にする。
【課題を解決するための手段】
【０００６】
上記課題を解決するための本発明の第１の態様の媒体支持ユニットは、媒体を支持可能な支持面を有する支持部と、前記支持面に対して窪んだ凹部又は前記支持面に対して突出した凸部を形成する第１状態と、前記支持面に対して前記凹部又は前記凸部を形成しない第２状態と、を形成可能な調整部と、を備え、前記支持面と前記調整部とは、色及び質感のうち少なくとも一方が異なることを特徴とする。
【０００７】
本発明の第２の態様の媒体支持ユニットは、前記第１の態様において、前記調整部の素材は、前記支持部の素材と異なることを特徴とする。
【０００８】
本発明の第３の態様の媒体支持ユニットは、前記第１又は第２の態様において、前記調整部の質量は、前記支持部の質量よりも小さいことを特徴とする。
【０００９】
本発明の第４の態様の媒体支持ユニットは、前記第１から第３のいずれか１つの態様において、前記調整部の剛性は、前記支持部の剛性よりも高いことを特徴とする。
【００１０】
本発明の第５の態様の媒体支持ユニットは、前記第１から第４のいずれか１つの態様において、前記支持部に前記調整部を取り付けることにより前記第１状態になり、前記支持部から前記調整部を取り外すことにより前記第２状態になることを特徴とする。
【００１１】
本発明の第６の態様の媒体支持ユニットは、前記第１から第４のいずれか１つの態様において、前記支持部に対する前記調整部の位置を変更することにより前記第１状態と前記第２状態とに変位することを特徴とする。
【００１２】
本発明の第７の態様の媒体支持ユニットは、前記第１から第６のいずれか１つの態様において、前記調整部は、前記凹部を形成する前記第１状態と、前記凹部を形成しない前記第２状態と、を形成可能であることを特徴とする。
【００１３】
本発明の第８の態様の媒体支持ユニットは、前記第１から第６のいずれか１つの態様において、前記調整部は、前記凸部を形成する前記第１状態と、前記凸部を形成しない前記第２状態と、を形成可能であることを特徴とする。
【００１４】
本発明の第９の態様の記録装置は、前記第１から第８のいずれか１つの態様の媒体支持ユニットと、前記媒体支持ユニットに支持された前記媒体に記録可能な記録部と、を備えることを特徴とする。
【００１５】
本発明の第１０の態様の媒体支持方法は、媒体を支持可能な支持面を有する支持部を備える媒体支持ユニットにおける媒体支持方法であって、色及び質感のうち少なくとも一方が前記支持面と異なる調整部によって、前記支持面に対して窪んだ凹部又は前記支持面に対して突出した凸部を形成する第１状態と、前記支持面に対して前記凹部又は前記凸部を形成しない第２状態とを、前記媒体の種類に応じて切り替えて、前記媒体を支持させることを特徴とする。
【発明の効果】
【００１６】
本発明によれば、媒体の一部を支持面に対して陥没させる陥没部を形成可能な媒体支持ユニットにおいて、陥没部を容易に形成することができる。
【図面の簡単な説明】
【００１７】
【図１】本発明の実施例１に係る記録装置の概略斜視図。
【図２】本発明の実施例１に係る記録装置の概略正面図。
【図３】本発明の実施例１に係る媒体支持ユニットの概略斜視図。
【図４】本発明の実施例１に係る媒体支持ユニットの概略斜視図。
【図５】本発明の実施例１に係る媒体支持ユニットの概略平面図。
【図６】本発明の実施例１に係る媒体支持ユニットの要部の概略斜視図。
【図７】本発明の実施例１に係る媒体支持ユニットの要部の概略斜視図。
【図８】本発明の実施例１に係る媒体支持ユニットの要部の概略側面図。
【図９】本発明の実施例１に係る媒体支持ユニットの概略側面断面図。
【図１０】本発明の実施例１に係る媒体支持ユニットの要部の概略平面図。
【図１１】本発明の実施例２に係る媒体支持ユニットの概略平面図。
【図１２】本発明の実施例３に係る媒体支持ユニットの概略斜視図。
【発明を実施するための形態】
【００１８】
以下に、本発明の実施例に係る記録装置について、添付図面を参照して詳細に説明する。  
また、下記の実施例では媒体支持ユニットを備えた記録装置を用いて説明している。しかし、本発明の媒体支持ユニットは、記録装置に備えられた媒体支持ユニットに限定されるわけではない。  
また、下記の実施例では記録装置として記録ヘッドからインクを吐出して記録を行うインクジェット記録装置を用いて説明している。しかし、本発明の記録装置は、インクジェット記録装置に限定されるわけではない。
【００１９】
［実施例１］（図１〜図１０）  
最初に、本発明の実施例１に係る記録装置について説明する。  
図１は本発明の実施例１に係る記録装置１の概略斜視図であり、図２は本発明の実施例１に係る記録装置１の概略正面図である。  
本実施例の記録装置１は、媒体支持ユニット２における媒体の支持部であるトレイ４に支持された媒体を搬送方向Ａに搬送する媒体搬送部３を備えている。また、トレイ４はステージ５に載置された状態で固定されている。トレイ４はステージ５と共に、回転レバー６を回転させることにより、高さ方向Ｃに移動する。
【００２０】
また、記録装置１の本体内部には記録部としての記録ヘッド（不図示）が備えられている。そして、本実施例の記録装置１は、搬送方向Ａと交差する走査方向Ｂに記録部としての記録ヘッドを往復移動させながら、記録ヘッドからトレイ４に支持された媒体にインクを吐出させて所望の画像を形成する。なお、本実施例の記録装置１は、図１中の手前側（左下方向）がトレイ４への媒体のセット位置であり、図１中の奥側（右上方向）の記録開始位置まで媒体をセットしたトレイ４を移動した後、図１中の手前側にトレイ４を移動しながら記録する。
【００２１】
次に、本実施例の記録装置１の要部である媒体支持ユニット２について説明する。  
図３は本実施例の媒体支持ユニット２を斜め上方から見た概略斜視図であり、図４は本実施例の媒体支持ユニット２を斜め下方から見た概略斜視図であり、図５は本実施例の媒体支持ユニット２の概略平面図である。  
本実施例の媒体支持ユニット２は、記録装置１に対して着脱可能であり、媒体を支持可能な支持面７を有するトレイ４（支持部）を備えている。つまり、媒体支持ユニット２は、媒体を支持可能な支持面７を有する支持部４を備えている。また、媒体支持ユニット２は、トレイ４を載置するステージ５、媒体の支持面積を調整可能な調整部８、支持面７に支持された媒体を外縁部において抑え込む外枠部９、記録装置１から取り外された際の設置部である脚部１０を備えている。
【００２２】
また、本実施例の媒体支持ユニット２は、支持面７に支持される媒体の一部を支持面７に対して陥没させる陥没部１１を有している。なお、本実施例の陥没部１１は、支持部としてのトレイ４から調整部８を取り外すことにより形成される第１の領域１１ａと、常時陥没状態である第２の領域１１ｂと、を有している。しかしながら、陥没部１１として、トレイ４に対して調整部８を取り付ける又は取り外す或いはトレイ４に対する調整部８の位置を変更することなどにより形成される、第１の領域１１ａを有していれば、常時陥没状態である第２の領域１１ｂを有していなくてもよい。
【００２３】
そして、本実施例の媒体支持ユニット２においては、トレイ４と調整部８とは、色及び質感が異なっている。具体的には、トレイ４は無色透明のアクリル材料で構成されており、調整部８は白色に塗られた金属で構成されている。つまり、色としては、トレイ４は透明であり、調整部８は非透明である。質感としては、トレイ４は滑らかな表面で光沢感がある質感であり、調整部８はシボのある表面でマット感がある質感である。しかしながら、トレイ４の支持面７と調整部８とは、色及び質感のうち、少なくとも一方が異なっていればよい。トレイ４が任意の色を有していたり、非透明であったりしてもよいし、調整部８が透明であったり、白色以外の無彩色や有彩色であったりしてもよい。  
別の表現をすると、本実施例の媒体支持ユニット２は、支持面７に対して窪んだ凹部（陥没部１１）を形成する第１状態（調整部８を取り外し、第１の領域１１ａを陥没部１１とした状態）と、支持面７に対して前記凹部を形成しない第２状態（調整部８を取り付け、第１の領域１１ａを陥没部１１としない状態）と、を形成可能な調整部８を備えている。そして、支持面７と調整部８とは、色及び質感のうち、少なくとも一方が異なっている。ここで、第１状態として支持面７に対して突出した凸部を形成することで該凸部以外の領域に陥没部１１を形成する状態とし、第２状態として支持面７に対して前記凸部を形成しない状態とすることも可能である。  
このように、支持面７に支持される媒体の一部を支持面７に対して陥没させる陥没部１１を形成可能にすることで、肉厚部分を備える媒体を用いても、支持面７に支持された媒体の盛り上がりを抑制することができる。  
なお、「肉厚部分」とは、媒体における他の部分と比べて厚みの大きい部分を意味する。例えば、媒体が衣服である場合においては、襟部分、ポケット部分、ボタン部分、ファスナー部分、生地の重複部分（身頃同士の接続部分や、裾の折り返し部分）などが該当する。  
また、支持面７と調整部８とを、色及び質感のうち、少なくとも一方が異なるように構成することで、陥没部１１の構成部分が視覚的又は触覚的にわかりやすくなり、陥没部１１を容易に形成することができる。  
なお、「支持面７と調整部８とを、色及び質感のうち、少なくとも一方が異なるように構成する」とは、支持面７と調整部８とを視覚的又は触覚的に区別可能に構成することを意味する。  
また、本実施例のトレイ４は、ワイシャツやポロシャツの襟などを下方に退避する（盛り上がりを抑制する）ことができるように切欠き部１２が設けられている。
【００２４】
また、第１の領域１１ａと第２の領域１１ｂとは連続して形成されているので、常に媒体を陥没させることが可能な第２の領域１１ｂに連続して第１の領域１１ａも媒体を陥没させることが可能な状態とすることで、連続した大きな肉厚部分に対応可能である。  
例えば、肉厚部分の小さいポロシャツを使用する場合は調整部８を取り付けて陥没部１１の面積を小さくした状態で媒体支持ユニット２に支持させ、肉厚部分の大きいワイシャツを使用する場合は調整部８を取り外して陥没部１１の面積を大きくした状態で媒体支持ユニット２に支持させることができる。
【００２５】
また、本実施例のトレイ４は、第１のトレイ４ａと第２のトレイ４ｂとで構成されており、支持面７は、第１のトレイ４ａに設けられる第１の支持面７ａと、第２のトレイ４ｂに設けられる第２の支持面７ｂとで構成されている。そして、第１の支持面７ａと第２の支持面７ｂとは離間して設けられ、陥没部１１は第１の支持面７ａと第２の支持面７ｂとの間に形成されている。  
このような構成により、本実施例の陥没部１１は、第１の支持面７ａと第２の支持面７ｂとの間に大きく形成されており、ワイシャツのボタン形成部分などの連続した大きい肉厚部分に対応可能になっている。例えば、フルジップ式のファスナーのように、媒体を縦断するような肉厚部分がある媒体でも、調整部８を取り外し、離間している２つの支持面（第１の支持面７ａと第２の支持面７ｂ）を用いる構成とすれば、対応可能である。また、ハーフジップ式のファスナーのように、媒体を縦断しない肉厚部分がある媒体は、媒体調整部８を取り付けた状態で、３つの支持面（第１の支持面７ａ、第２の支持面７ｂ、及び調整部８）によって媒体を支持することができる。
【００２６】
上記のように、本実施例の媒体支持ユニット２は媒体としての衣服を支持可能であり、陥没部１１は、媒体が衣服である場合に、衣服の肉厚部分を陥没させることが可能に構成されている。このため、本実施例の媒体支持ユニット２は、襟、ボタン、ジッパー、ポケット及び生地の折り返しなどの肉厚部分を有する衣服を媒体として用いても、該肉厚部分に対応する媒体の盛り上がりを抑制することが可能である。
【００２７】
また、本実施例の媒体支持ユニット２においては、調整部８の質量はトレイ４の質量よりも小さい。すなわち、調整部８を相対的に軽く構成している。このため、調整部８が扱いやすくなり、陥没部１１（第１の領域１１ａ）の形成作業が容易となる。
【００２８】
また、上記のように、トレイ４は無色透明のアクリル材料で構成されており、調整部８は白色に塗られた金属で構成されている。すなわち、調整部８とトレイ４とを、重量や剛性など各々求められる特性に応じて異なる素材で構成している。
【００２９】
剛性という観点においては、本実施例の調整部８は媒体支持ユニット２に対して着脱可能であるため、取り外した調整部８を床に落としてしまう場合等が考えられる。このため、調整部８は、トレイ４よりも高い剛性が要求される。このため、本実施例の媒体支持ユニット２では、調整部８の剛性はトレイ４の剛性よりも高く構成している。こうして、調整部８を頑丈に構成することで、調整部８の損傷を抑制している。
【００３０】
次に、陥没部１１の大きさを調整可能な調整部８について詳細に説明する。  
図６及び図７は媒体支持ユニット２から取り外した状態の調整部８の概略斜視図であり、図６は調整部８を斜め上方から見た図であり、図７は調整部８を斜め下方から見た図である。また、図８は媒体支持ユニット２から取り外した状態の調整部８の概略側面図である。また、図９は、媒体支持ユニット２に調整部８を取り付けた状態における媒体支持ユニット２の概略側面断面図を表している。また、図１０は、媒体支持ユニット２における調整部８の取り付け部分の概略平面図を表している。
【００３１】
図３から図５及び図９で表されるように、本実施例の調整部８は、媒体支持ユニット２に取り付け可能である。また、図６から図８で表されるように、本実施例の調整部８は、媒体支持ユニット２から取り外し可能である。別の表現をすると、支持部４に調整部８を取り付けることにより第１状態（凹部又は凸部を形成する状態）になり、支持部４から調整部８を取り外すことにより第２状態（凹部又は凸部を形成しない状態）になる構成である。このような構成により、本実施例の調整部８は、媒体支持ユニット２の陥没部１１に対して取り付け及び取り外しすることにより、陥没部１１の大きさを調整可能（第１の領域１１ａに対応する陥没部１１を形成可能）である。このように、調整部８を媒体支持ユニット２に脱着可能にすることで、第１の領域１１ａに対応する陥没部１１を形成する際に、調整部８を取り外して媒体支持ユニット２を軽量化できる構成としている。なお、陥没部１１の大きさを「調整可能」であるとは、陥没部１１の大きさを所望の大きさに「変更可能」である、と言い換えることもできる。
【００３２】
ただし、このような構成に限定されない。例えば、調整部８を媒体支持ユニット２の陥没部１１に対して取り付け及び取り外しする構成とするのではなく、該陥没部１１に対する位置を変更する（移動させる）ことにより、陥没部１１の大きさを調整可能（第１の領域１１ａに対応する陥没部１１を形成可能）にする構成としてもよい。別の表現をすると、支持部４に対する調整部８の位置を変更することにより前記第１状態と前記第２状態とに変位する構成としてもよい。このような構成であれば、第１の領域１１ａに対応する陥没部１１を形成する際、調整部８を取り外さなくてすむので、調整部８の設置スペースを設ける必要が無くなる。さらに、調整部８を紛失する可能性を低減することができる。
【００３３】
また、本実施例の調整部８は、図６から図９で表されるように、ステージ５に設けられた載置面１９（図９参照）に載置可能な載置部１４と、載置面１９に設けられた孔部１５（図４参照）に対してその一部を差し込む差し込み部１３と、を備えている。  
また、ステージ５に設けられた孔部１５を表す図１０で表されるように、孔部１５には、差し込み部１３を挿入可能な大径部分１７と、差し込み部１３に設けられた小径差し込み部１６（図７から図９参照）を嵌めこむことが可能な小径部分１８と、が設けられている。  
そして、調整部８をステージ５に固定する際、図４及び図９で表されるように、差し込み部１３の一部を孔部１５の大径部分１７に差し込み方向Ｄに移動させることで差し込み部１３の小径差し込み部１６を孔部１５の小径部分１８に嵌めこむ。そして、調整部８のステージ５への固定は、ユーザーが載置部１４に設けられた固定部２１（図６及び図７参照）をネジ２２（図９参照）でステージ５に固定することによりなされる。  
なお、図９における小径差し込み部１６の上下方向の長さはステージ５の載置面１９の構成部材の厚さよりも大きく構成されており、小径差し込み部１６と載置面１９の構成部材とでギャップが生じている。こうして、調整部８を媒体支持ユニット２に取り付ける際に取り付けやすくなっている。
【００３４】
なお、図９で表されるように、調整部８には、調整部８を媒体支持ユニット２に取り付けた際に調整部８の表面となる調整面２０が設けられている。調整面２０は、調整部８が取り付けられた際に、媒体を支持する面となる。つまり、調整面２０は第３の支持面であるとも言える。調整面２０は、調整部８を媒体支持ユニット２に取り付けた際にトレイ４の支持面７よりも下側に位置するよう構成されている。これは、調整面２０に支持された部分において媒体が記録ヘッドと接触することを抑制するためである。このような構成に限定はされないが、媒体と記録ヘッドとの接触を抑制するために、調整面２０が支持面７と面一か、本実施例のように調整面２０が支持面７に対して凹んだ位置になるように構成されることが好ましい。  
また、本実施例のような媒体支持ユニット２への調整部８の取り付け構成及び固定構成には限定されず、例えば、磁石や面ファスナーなどを用いて媒体支持ユニット２に調整部８を取り付ける構成や固定する構成を使用することもできる。
【００３５】
［実施例２］（図１１）  
次に、本発明の実施例２に係る媒体支持ユニット２について説明する。なお、実施例１と共通する構成部材は同じ符号で示しており、詳細な説明は省略する。  
図１１は、本発明の実施例２に係る媒体支持ユニット２の概略平面図である。  
本実施例の媒体支持ユニット２は、陥没部１１の大きさを調整可能な調整部８の構成以外は実施例１の媒体支持ユニット２と同様の構成である。
【００３６】
図１１で表されるように、本実施例の調整部８は、第１の調整ユニット８ａと第２の調整ユニット８ｂとを有している。換言すれば、調整部８は、複数の調整ユニットを有している。このため、第１の調整ユニット８ａ及び第２の調整ユニット８ｂの複数の調整ユニットにより、簡単に陥没部１１の大きさを複数の大きさに調整可能であり、様々な大きさの肉厚部分に対応可能である。
【００３７】
なお、本実施例の調整部８は、第１の調整ユニット８ａ及び第２の調整ユニット８ｂの両方又は一方を使用することにより陥没部１１の大きさを調整可能である。また、大きさ及び形状の異なる第１の調整ユニット８ａ及び第２の調整ユニット８ｂの一方を選択して使用することにより陥没部１１の大きさを調整することも可能である。  
図１１で表されるように、本実施例の調整部８は、第１の調整ユニット８ａと第２の調整ユニット８ｂとは、大きさ及び形状が異なる。このように、大きさ又は形状の異なる複数の調整ユニットを備えることで、例えば、肉厚部分の形状や大きさに合せて、第１の調整ユニット８ａ及び第２の調整ユニット８ｂの一方を選択して使用することにより、簡単に陥没部１１の大きさを適正な大きさに調整可能である。ただし、複数の調整ユニットがある場合に、大きさ及び形状が同じ調整ユニットを複数用いてもよい。また、大きさ（媒体を支持する部分の面積）が同じで形状（媒体を支持する部分の平面視における形）が異なる調整ユニットを組み合わせて用いてもよい。また、形状が同じで、大きさが異なる調整ユニットを組み合わせて用いてもよい。調整ユニットの形状は、多角形や丸、衣服の特定部分のデザインに合わせた形など、種々の形状を用いることができる。
【００３８】
なお、本実施例の第１の調整ユニット８ａ及び第２の調整ユニット８ｂは、共に金属製であると共に各々有彩色で色が異なる。このため、無色透明のアクリル材料で構成されるトレイ４に対して視覚的にわかりやすいとともに、第１の調整ユニット８ａ及び第２の調整ユニット８ｂの大きさや形状もわかりやすくなっている。ただし、トレイ４に対して第１の調整ユニット８ａ及び第２の調整ユニット８ｂの色及び質感のうち少なくとも一方が異なっていればよい。第１の調整ユニット８ａと第２の調整ユニット８ｂとは、色及び質感が同様であっても構わない。ただし、複数の調整ユニットが存在する場合に、調整ユニット毎に色を異ならせたり、質感を異ならせてもよい。
【００３９】
［実施例３］（図１２）  
次に、本発明の実施例３に係る媒体支持ユニット２について説明する。なお、実施例１及び２と共通する構成部材は同じ符号で示しており、詳細な説明は省略する。  
図１２は、本発明の実施例３に係る媒体支持ユニット２の概略斜視図である。このうち、図１２（Ａ）は陥没部１１を形成していない状態を表しており、図１２（Ｂ）は陥没部１１を形成した状態を表している。
【００４０】
実施例１及び２の媒体支持ユニット２では、トレイ４が支持面７を構成し、陥没部１１は、トレイ４から調整部８を取り外すことにより形成される構成であった。別の表現をすると、調整部８は、陥没部１１としての凹部を第１の領域１１ａに形成する第１状態と、該凹部を第１の領域１１ａに形成しない第２状態と、を形成可能である構成であった。  
このように、トレイ４から調整部８を取り外す又は支持面７の位置から調整部８を移動させることにより陥没部１１が形成される構成においては、陥没部１１を簡単に形成できる。
【００４１】
一方、本実施例の媒体支持ユニット２は、図１２（Ａ）で表されるように、陥没部１１を有さない支持面７を有するトレイ４を備えている。そして、陥没部１１を形成する際には、図１２（Ｂ）で表されるように、トレイ４の支持面７に変わって支持面７ｃ、７ｄ及び７ｅを構成する複数の調整ユニット８ｃ、８ｄ及び８ｅからなる調整部８を支持面７に載置する。すなわち、陥没部１１は、トレイ４に対して空間を設けて調整部８を取り付けることにより形成される。別の表現をすると、調整部８は、凸部としての支持面７ｃ、７ｄ及び７ｅを形成する（調整ユニット８ｃ、８ｄ及び８ｅを取り付ける）ことで陥没部１１を形成する第１状態と、該支持面７ｃ、７ｄ及び７ｅを形成しない（調整ユニット８ｃ、８ｄ及び８ｅを取り外す）ことで陥没部１１を形成しない第２状態と、を形成可能な構成である。  
このように、トレイ４に対して空間を設けて調整部８を取り付ける又はトレイ４に対して空間が設けられるように調整部８の位置を変更することにより陥没部１１が形成される構成においても、陥没部１１を簡単に形成できる。
【００４２】
なお、本実施例の調整ユニット８ｃ、８ｄ及び８ｅは、何れもトレイ４と色が異なるうえ各々の色も異なる。このため、トレイ４に対して視覚的にわかりやすいとともに、調整ユニット８ｃ、８ｄ及び８ｅの各々の大きさや形状もわかりやすくなっている。ただし、トレイ４に対して調整ユニット８ｃ、８ｄ及び８ｅの色及び質感のうち少なくとも一方が異なっていればよい。調整ユニット８ｃ、８ｄ及び８ｅ各々の色及び質感が同様であっても構わない。
【００４３】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００４４】
本発明の第１の態様の媒体支持ユニット２は、媒体を支持可能な支持面７を有する支持部４と、支持面７に対して窪んだ凹部１１又は支持面に対して突出した凸部７ｃ、７ｄ及び７ｅを形成する第１状態と、支持面７に対して凹部１１又は凸部７ｃ、７ｄ及び７ｅを形成しない第２状態と、を形成可能な調整部８と、を備え、支持面７と調整部８とは、色及び質感のうち少なくとも一方が異なることを特徴とする。
【００４５】
本態様によれば、支持面７に支持される媒体の一部を支持面７に対して陥没させる陥没部１１を形成可能である。このため、肉厚部分を備える媒体を用いても、支持面７に支持された媒体の盛り上がりを抑制することができる。  
なお、「肉厚部分」とは、媒体における他の部分と比べて厚みの大きい部分を意味し、例えば、媒体が衣服である場合においては、ポケットやボタンが構成された部分や、生地の折り返し部分などが該当する。  
また、本態様によれば、支持面７と調整部８とは、色及び質感の少なくとも一方が異なる。このため、陥没部１１の構成部分が視覚的又は触覚的にわかりやすくなり、陥没部１１を容易に形成することができる。  
なお、「支持面７と調整部８とは、色及び質感の少なくとも一方が異なる」とは、支持面７と調整部８とが視覚的又は触覚的に区別可能であることを意味する。
【００４６】
本発明の第２の態様の媒体支持ユニット２は、前記第１の態様において、調整部８の素材は、支持部４の素材と異なることを特徴とする。
【００４７】
本態様によれば、調整部８の素材は支持部４の素材と異なる。このため、調整部８と支持部４とを、重量や剛性など各々求められる特性に応じて異なる素材で構成することができる。
【００４８】
本発明の第３の態様の媒体支持ユニット２は、前記第１又は第２の態様において、調整部８の質量は、支持部４の質量よりも小さいことを特徴とする。
【００４９】
本態様によれば、調整部８の質量は支持部４の質量よりも小さい。すなわち、調整部８を軽く構成できるので、陥没部１１を容易に形成できる。
【００５０】
本発明の第４の態様の媒体支持ユニット２は、前記第１から第３のいずれか１つの態様において、調整部８の剛性は、支持部４の剛性よりも高いことを特徴とする。
【００５１】
本態様によれば、調整部８の剛性は支持部４の剛性よりも高い。すなわち、調整部８を頑丈に構成できるので、調整部８の損傷を抑制できる。
【００５２】
本発明の第５の態様の媒体支持ユニット２は、前記第１から第４のいずれか１つの態様において、支持部４に調整部８を取り付けることにより前記第１状態になり、支持部４から調整部８を取り外すことにより前記第２状態になることを特徴とする。
【００５３】
本態様によれば、陥没部１１は支持部４から調整部８を取り外すことにより形成される。このため、陥没部１１を形成する際、調整部８を取り外しできるので媒体支持ユニット２を軽量化できる。
【００５４】
本発明の第６の態様の媒体支持ユニット２は、前記第１から第４のいずれか１つの態様において、支持部４に対する調整部８の位置を変更することにより前記第１状態と前記第２状態とに変位することを特徴とする。
【００５５】
本態様によれば、陥没部１１は支持部４に対する調整部８の位置を変更することにより形成される。このため、陥没部１１を形成する際、調整部８を取り外ししなくてすむので、調整部８の設置スペースを設ける必要が無くなるとともに調整部８を紛失する虞を抑制できる。
【００５６】
本発明の第７の態様の媒体支持ユニット２は、前記第１から第６のいずれか１つの態様において、調整部８は、凹部１１を形成する前記第１状態と、凹部１１を形成しない前記第２状態と、を形成可能であることを特徴とする。
【００５７】
本態様によれば、調整部８は、凹部１１を形成する前記第１状態と、凹部１１を形成しない前記第２状態と、を形成可能である。このため、支持部４から調整部８を取り外す又は支持面７の位置から調整部８を移動させることにより、簡単に陥没部１１を形成できる。
【００５８】
本発明の第８の態様の媒体支持ユニット２は、前記第１から第６のいずれか１つの態様において、調整部８は、凸部７ｃ、７ｄ及び７ｅを形成する前記第１状態と、凸部７ｃ、７ｄ及び７ｅを形成しない前記第２状態と、を形成可能であることを特徴とする。
【００５９】
本態様によれば、調整部８は、凸部７ｃ、７ｄ及び７ｅを形成する前記第１状態と、凸部７ｃ、７ｄ及び７ｅを形成しない前記第２状態と、を形成可能である。このため、支持部４に対して空間を設けて調整部８を取り付ける又は支持部４に対して空間が設けられるように位置を変更することにより、簡単に陥没部１１を形成できる。
【００６０】
本発明の第９の態様の記録装置１は、前記第１から第８のいずれか１つの態様の媒体支持ユニット２と、媒体支持ユニット２に支持された前記媒体に記録可能な記録部と、を備えることを特徴とする。
【００６１】
本態様によれば、肉厚部分を備える媒体を用いても支持面７に支持された媒体の盛り上がりを抑制することができるとともに、陥没部１１を容易に形成して記録することができる。
【００６２】
本発明の第１０の態様の媒体支持方法は、媒体を支持可能な支持面７を有する支持部４を備える媒体支持ユニット２における媒体支持方法であって、色及び質感のうち少なくとも一方が支持面７と異なる調整部８によって、支持面７に対して窪んだ凹部１１又は支持面７に対して突出した凸部７ｃ、７ｄ及び７ｅを形成する第１状態と、支持面７に対して凹部１１又は凸部７ｃ、７ｄ及び７ｅを形成しない第２状態とを、前記媒体の種類に応じて切り替えて、前記媒体を支持させることを特徴とする。
【００６３】
本態様によれば、肉厚部分を備える媒体を用いても支持面７に支持された媒体の盛り上がりを抑制することができるとともに、陥没部１１を容易に形成して媒体を支持させることができる。
【符号の説明】
【００６４】
１  記録装置、２  媒体支持ユニット、３  媒体搬送部、４  トレイ（支持部）、
５  ステージ、６  回転レバー、７  支持面、７ｃ、７ｄ、７ｅ  支持面（凸部）、
８  調整部、９  外枠部、１０  脚部、１１  陥没部（凹部）、１２  切欠き部、
１３  差し込み部、１４  載置部、１５  孔部、１６  小径差し込み部、
１７  大径部分、１８  小径部分、１９  載置面、２０  調整面、２１  固定部、
２２  ネジ
【図１】
0006465342.tif 000002
【図２】
0006465342.tif 000003
【図３】
0006465342.tif 000004
【図４】
0006465342.tif 000005
【図５】
0006465342.tif 000006
【図６】
0006465342.tif 000007
【図７】
0006465342.tif 000008
【図８】
0006465342.tif 000009
【図９】
0006465342.tif 000010
【図１０】
0006465342.tif 000011
【図１１】
0006465342.tif 000012
【図１２】
0006465342.tif 000013